(57)【特許請求の範囲】
【請求項１】
照射光を経皮的に生体表面に向けて照射するための照射プローブと、
前記照射プローブが挿入されるとともに、生体表面の上に固定されるプローブ固定部と、前記プローブ固定部に設けられた前記生体表面へ照射される照射光の照射部位を観察するための観察手段を含む観察モジュールと、
前記照射部位の観察時には照射プローブをプローブ固定部に挿入していない状態で、前記観察モジュールを、前記照射プローブが前記プローブ固定部に設置される空間へ移動可能である移動手段と、を備えた光治療装置。
【請求項２】
前記照射プローブの照射光の照射野と、前記観察モジュールの観察野が、生体上の照射部位に対して同軸であることを特徴とする、
請求項１に記載の光治療装置。
【請求項３】
前記移動手段が前記プローブ固定部と前記観察モジュールの間に形成されたヒンジである、
請求項１に記載の光治療装置。
【請求項４】
前記移動手段が前記プローブ固定部と前記観察モジュールの間に形成された回転軸である、
請求項１に記載の光治療装置。
【請求項５】
前記移動手段が前記照射プローブを前記プローブ固定部に挿入することで回転し、前記観察モジュールを移動する、
請求項１に記載の光治療装置。
【請求項６】
前記観察モジュールは観察用ミラーを更に備え、前記移動手段は前記観察用ミラーを前記照射プローブが前記プローブ固定部に設置される空間へ移動可能である、
請求項１に記載の光治療装置。
【請求項７】
前記観察モジュールに位置決めガイドを含む、
請求項１〜６のいずれかに記載の光治療装置。
【請求項８】
前記プローブ固定部に微調整機構を含む、
請求項１〜６のいずれかに記載の光治療装置。
【請求項９】
前記プローブ固定部の一部に可撓性媒体を形成した、
請求項１〜６のいずれかに記載の光治療装置。
【請求項１０】
前記プローブ固定部に脱着可能な固定ベルトを備えた、
請求項１〜９のいずれかに記載の光治療装置。
【請求項１１】
前記固定ベルトが前方ベルト固定部と側方ベルト固定部を備えた２本のベルトからなる請求項１０に記載の光治療装置。
【発明の詳細な説明】
【技術分野】
【０００１】
本発明は、光治療装置に関する。
【背景技術】
【０００２】
光治療装置は、例えば、赤外光線（おおよそ波長７００ｎｍ〜２５００ｎｍ）を治療光として、患部やツボなどを狙って経皮的に照射することにより、疼痛の緩解などの治療に用いられてきた。近年、光線の照射により、末梢神経系の痛みを伝える感覚線維の神経伝達の選択的な抑制、発痛物質の抑制、交感神経の緊張緩和等の様々な神経に対する作用が明らかになってきた。これらの作用を応用し、光線照射により排尿障害の改善治療することもなされている（特許文献１）。光線の中でもレーザ光は、特定の波長を高出力で照射できることから、これらの用途で広く用いられている。このような治療においては、患部やツボなどの同じ部位を繰り返し照射することになるため、治療部位をすぐに特定できる必要があった。そのため、例えば特許文献２では、光照射プローブ内にレーザ光を出射するレーザ光源手段に加え、レーザ光が照射されるべき部位の画像を撮影する画像撮影手段を備える構成が提案されている。この構成によれば、画像撮影手段が撮影して患部の状態や位置をおおよそ把握することが可能になる。
【先行技術文献】
【特許文献】
【０００３】
【特許文献１】特開２００９−１７２０６８号公報
【特許文献２】特許第５７３９８８８号公報
【発明の概要】
【発明が解決しようとする課題】
【０００４】
たとえば、光線照射による排尿障害治療においては、膀胱の知覚神経の異常活動を抑制するために、膀胱知覚神経が存在する仙骨孔を狙って、経皮的に光を照射する。適切な治療のためには、正確に仙骨孔を狙う必要がある。また、１日に数分〜数１０分の光照射を週に２回〜毎日の頻度で繰り返す必要があるため、在宅で患者自身が光照射を行うことが望ましい。そのため、病院で医師が仙骨孔を特定し、その直上の皮膚に照射位置と照射範囲を示したマーキングをして、患者は在宅でそのマーキングを頼りに光照射を行うことになる。仙骨孔は、腰部の少し下の皮下に位置し、その上の皮膚に目印をつけても患者が視認できない背部にあるため、カメラ等の画像撮影手段を用いて位置決めをすることが必要になる。【０００５】
患者が背部で照射プローブを照射位置に合わせて調整すること、および調整された位置で患者が照射プローブを保持し続けることは、患者に無理な体勢を強いることになる。したがって、この場合、特許文献２に開示されたように照射プローブにカメラを備え、照射プローブを患者のマーキングに対して位置決めする方法を用いることは患者の負担の増大につながる。【０００６】
これに対し、在宅において本治療を実施する際には、照射プローブを患者に対して挿入固定するプローブ固定部を用いて、あらかじめプローブ固定部をマーキングに対して適切に位置決めすることが考えられる。ただしプローブ固定部にカメラを設ける場合、適切に位置決めされた状態でマーキングがカメラに捕らえられるようにカメラを設けると、照射プローブをプローブ固定部に挿入する際にカメラに干渉するという課題がある。特に、位置決め精度を向上させるために、カメラの光軸を照射プローブの光源がプローブ固定部に固定された時の光軸と同軸上に存在するようにカメラを配置する場合は、問題が顕著である。【０００７】
そこで、本発明は、例えば排尿障害患者に対する光線照射などの、治療部位が患者の背部で視認できない位置にあり、在宅等で患者自身が光照射を行う場合であっても、仙骨孔を正確に狙った光照射を行うことができ、その結果、適切な治療が実現できる光治療装置を提供することを目的とする。
【課題を解決するための手段】
【０００８】
この目的を達成するために、本発明の光治療装置は、照射光を生体に向けて照射するための照射プローブと、前記照射プローブが挿入されるとともに、生体の上に固定されるプローブ固定部と、前記プローブ固定部に設けられた前記生体へ照射される照射光の照射部位を観察するための観察手段を含む観察モジュールと、前記照射部位の観察時に、前記観察モジュールを、前記照射プローブが前記プローブ固定部に設置挿入される空間へ移動可能である移動手段と、を備えた光治療装置とした。
【発明の効果】
【０００９】
本構成によれば、治療部位が患者の背部で視認できない位置にあり、在宅等で患者自身が光照射を行う場合であっても、患者自身が背部においても容易に位置合わせや固定を行うことができる。これにより、仙骨孔を正確に狙った光照射を行うことができ、その結果、適切な治療が実現できる。
【図面の簡単な説明】
【００１０】
【図１】本光治療装置の実施の形態の斜視図である。
【図２】本光治療装置の実施の形態の斜視図である。
【図３】本光治療装置の照射光と観察野の位置関係を示す斜視図である。
【図４】本光治療装置の使用状態である。
【図５】本光治療装置の使用状態である。
【図６】本光治療装置の使用状態である。
【図７】本光治療装置の別の実施の一形態である。
【図８】本光治療装置の別の実施の一形態である。
【図９】本光治療装置の別の実施の一形態である。
【図１０】本光治療装置の別の実施の一形態である。
【図１１】本光治療装置の別の実施の一形態である。
【図１２】本光治療装置の別の実施の一形態である。
【図１３】本光治療装置の別の実施の一形態である。
【図１４】本光治療装置の別の実施の一形態である。
【図１５】本光治療装置の別の実施の一形態の照射野と観察野の位置関係を示す斜視図である。
【図１６】本光治療装置の別の実施の一形態である。
【図１７】本光治療装置の別の実施の一形態である。
【図１８】本光治療装置の別の実施の一形態の照射野と観察野の位置関係を示す斜視図である。
【図１９】本光治療装置の別の実施の一形態である。
【図２０】本光治療装置の別の実施の一形態である。
【図２１】本光治療装置の別の実施の一形態である。
【図２２】本光治療装置の別の実施の一形態である。
【図２３】本光治療装置の別の実施の使用状態である。
【図２４】本光治療装置の別の実施の一形態である。
【図２５】本光治療装置の別の実施の一形態である。
【図２６】本光治療装置の別の実施の一形態である。
【図２７】本光治療装置の別の実施の一形態である。
【発明を実施するための形態】
【００１１】
（第一の実施形態のハード構成）
以下、本発明の一実施形態に係る光治療装置を添付の図面を参照しながら説明する。本実施形態の光治療装置は、患者の仙骨孔の位置に光線を照射することで排尿障害治療を行うための装置である。
【００１２】
図１は本実施形態に係る光治療装置の、プローブ固定部１に対して照射プローブ２を挿入した状態の斜視図である。光治療装置は、照射プローブ２とプローブ固定部１と観察モジュール３と固定ベルト４と、を備える。
【００１３】
照射プローブ２は、プローブ固定部１に固定され、患者の皮膚上の所定の照射部位へ光線を照射するための部材である。照射プローブ２はプローブケーブル５とプローブ筐体６とを備え、プローブ筐体６の中には治療用光源７を備えている。治療用光源７としては、レーザ、ＬＥＤ、ハロゲンランプ、キセノンランプなどが利用できる。治療用光源７は、プローブケーブル５を通じて、図示しない治療用光源用電源およびスイッチに接続されており、スイッチを切り替えることで患者へ光線を照射する。なお、治療用光源７は外部から光ファイバ等の導光路でプローブ筐体６内に導光されていても良い。
【００１４】
プローブ筐体６は、たとえばプラスチックまたは金属からなり、中空円筒状に構成されている。なお、プローブ筐体６の形状は円筒状でなくてもよい。
【００１５】
プローブ固定部１は、プローブ挿入部８と患者接触部９を備える。プローブ挿入部８はプローブ筐体６を差し込みプローブ固定部１に照射プローブ２を患者に対して固定するための部材である。
【００１６】
患者接触部９は、患者体表にプローブ固定部１を固定して治療用光源７からの光を患者体表の照射部位へ照射するための部材であり、中心に治療用光源７からの照射光を通過する透過窓１０を備える。本実施形態では、透過窓１０は患者接触部９に設けられた穴である。ただし透過窓１０は照射光を透過することができればよく、患者接触部９の一部がガラスやプラスチックフィルムなどの光を透過する素材で形成されていてもよい。
【００１７】
観察モジュール３は、カメラ１１、照明光源１２、モジュール筐体１３から構成されている。カメラ１１は、患者が背部にある光照射部位の照射位置と範囲を把握するための部材である。カメラ１１としては、ＣＣＤカメラやＣＭＯＳカメラなどが利用できる。後述するように、カメラ１１で取得した画像は有線または無線通信により外部のモニタに表示される。照明光源１２は、カメラ１１の観察野を照らすことで、カメラ１１による照射位置と照射範囲を認識しやすくするための部材である。照明光源１２としては、レーザ、ＬＥＤ、ハロゲンランプ、キセノンランプなどが利用できる。モジュール筐体１３はカメラ１１、照明光源１２を保持するための部材であり、内部にカメラ１１と照明光源１２に電力を供給するための観察モジュール電源１４を内蔵している。観察モジュール電源１４としては、１次電池や２次電池などが利用できる。また、外部からケーブル等により供給される構成でもよい。
【００１８】
観察モジュール３とプローブ固定部１とは、ヒンジ１５によって接続されている。ヒンジ１５は、観察モジュール３をプローブ挿入部８に対して移動させるための部材であり、その一端はプローブ挿入部８の上端（患者と反対側の端）に固定され、他端は観察モジュール３の外周に固定されている。図２は照射プローブ２が挿入されていないときの観察モジュール３とプローブ固定部１の配置である。観察モジュール３の外径はプローブ挿入部８の外径以上に設定されており、照射プローブ２が挿入されずヒンジ１５が閉じられた状態では、プローブ挿入部８の蓋として機能する。図２の状態では、観察モジュール３はプローブ固定部１上部に位置決めされ、観察モジュール３内のカメラ１１は透過窓１０越しに皮膚を観察できるように位置決めされている。これにより、患者の背部の視認できない位置にあるマーキングを視認できるようになる。この時、観察モジュール３内の照明光源１２も透過窓１０越しに皮膚を照らすことで、よりマーキングを視認しやすくできる。この状態では、観察モジュール３および観察モジュール３に内蔵されたカメラ１１は、照射プローブ２の挿入に際して干渉する位置にある。
【００１９】
これに対し、照射プローブ２がプローブ挿入部８に挿入されるときには、ヒンジ１５を開けることでプローブ挿入を妨げない位置に移動することができる。本実施例では、観察モジュール３とプローブ固定部１はヒンジ１５により接続されているが、観察モジュール３とプローブ固定部１の間に接続部がなく、完全に着脱可能であっても良い。
【００２０】
固定ベルト４は、患者の胴体にプローブ固定部１を固定するための部材であり、プローブ固定部１に取り付けられている。図３は、照射プローブ２がプローブ挿入部８に挿入されているときの照射光の照射野１６と、照射プローブ２が挿入されておらず、観察モジュール３で患者皮膚１７を観察しているときのカメラ１１の観察野１８の、配置を示した図である。照射光と観察野１８は患者皮膚１７に対して同軸上に配置されるように、照射プローブ２と観察モジュール３が固定される。これにより、治療用光源７とカメラ１１が同軸上に配置されるため、照射位置と照射範囲が正確に把握できる。また、プローブ固定部１から照射プローブ２が着脱可能なため、軽量なプローブ固定部１のみで位置決めが可能なため、患者自身が背部においても容易に位置合わせや固定を行うことができる。
【００２１】
（第一の実施形態の使用方法）
図４、図５、図６を用いて、本光治療装置の具体的な使用方法を説明する。
【００２２】
図４は患者の光照射位置を示す図である。まず、病院や診療所において、医師の診断のもと、患者の光照射を行うべき治療部位が特定される。たとえば、光線照射による排尿障害治療においては、触診やＸ線透視によって、患者背部１９において光を照射すべき仙骨孔の位置が特定される。
次に、特定された治療部位に医師または他の医療従事者がマーキング２０を施す。マーキング２０の材料はインクや貼付シートなどが利用できる。マーキング２０は照射範囲を避けるような形状であることが望ましい。たとえば、照射範囲よりも大きい中空の円形状などであるが、それに限らない。
その後自宅等において、患者自ら光照射を行う際は、病院や診療所において施されたマーキング２０に合わせて、患者が本光照射装置のプローブ固定部１を固定する。
【００２３】
図５は、プローブ固定部１を患者のマーキング２０に合わせて設置する方法を示した図である。患者はまず、観察モジュール３の観察モジュール電源１４を入れ、プローブ固定部１の所定の位置（本実施形態においては、ヒンジ１５を閉じた位置）に固定する。次にプローブ固定部１を背部に持っていき、プローブ固定部１に取り付けられた観察モジュール３により、背部の状態を観察し、モニタ２１上でマーキング２０を認識する。マーキング２０が観察野１８の中央に来るようにプローブ固定部１を移動して患者皮膚１７の上に位置決めする。その状態で固定ベルト４を胴体に回してプローブ固定部１を固定する。その後、図６に示すように観察モジュール３をプローブ固定部１から外し、照射プローブ２を挿入する。
【００２４】
このとき、従来は、プローブ固定部１にカメラ１１を設ける場合、適切に位置決めされた状態でマーキング２０がカメラ１１に捕らえられるようにカメラ１１を設けると、照射プローブ２をプローブ固定部１に挿入する際にカメラ１１に干渉するという課題がある。特に、位置決め精度を向上させるために、カメラ１１の光軸を照射プローブ２の治療用光源７がプローブ固定部１に固定された時の光軸と同軸上に存在するようにカメラ１１を配置する場合は、問題が顕著である。本光治療装置においては、観察モジュール３が照射プローブ２を挿入する経路と重なる第一の位置と、経路と重ならない第二の位置との間で移動させることができ、照射プローブ２と概略同じ位置からマーキング２０を観察できるとともに、照射プローブ２をプローブ固定部１に挿入する際にカメラ１１に干渉することがない。そのため、治療部位が患者の背部で視認できない位置にあり、在宅等で患者自身が光照射を行う場合であっても、患者自身が背部においても容易に位置合わせや固定を行うことができる。これにより、仙骨孔を正確に狙った光照射を行うことができ、その結果、適切な治療が実現できる。このため、排尿障害患者等の光治療装置として広く利用できる。
【００２５】
（第二の実施形態のハード構成）
図７、図８は、本光治療装置の別の実施の形態を表す図である。なお、他の実施形態と重複する部分が多いことから、以下では本実施形態に特徴的な部分のみを説明し、その他の構成についての説明は省略する。本実施形態においては、観察モジュール３とプローブ固定部１は、プローブ固定部１の中心軸方向に平行な回転軸２２によって接続されている。回転軸２２は、観察モジュール３を回転移動させるための部材であり、これにより、照射プローブ２がプローブ挿入部８に挿入されていないときには、図８に示すように観察モジュール３により透過窓１０越しに患者皮膚１７を観察できるように位置決めされ、照射プローブ２がプローブ挿入部８に挿入されるときには図７に示すようにプローブ挿入を妨げない位置に、より小さな力で容易に移動することができる。
【００２６】
（第三の実施形態のハード構成）
図９、図１０は、本光治療装置の別の実施の形態を表す図である。なお、他の実施形態と重複する部分が多いことから、以下では本実施形態に特徴的な部分のみを説明し、その他の構成についての説明は省略する。本実施形態においては、図９に示すように、観察モジュール３とプローブ固定部１は、プローブ固定部１の中心軸方向に垂直な回転軸２２によって接続されている。また、観察モジュール３は、照射プローブ２の動きに合わせて観察モジュール３を回転させるレバー部２３と、カメラ１１および照明光源１２を備えた観察部２４と、を備える。また、プローブ固定部１には、レバー部２３が照射プローブ２に押されたときに観察部２４をプローブ挿入部８外に移動するための移動溝２５を備えている。この構造によって、照射プローブ２がプローブ挿入部８に挿入されていないときには、観察部２４により透過窓１０越しに患者皮膚１７を観察できるように位置決めされ、照射プローブ２がプローブ挿入部８に挿入されたときには、図１０に示すように照射プローブ２がレバー部２３を押すことで、それに合わせて回転軸２２を中心に観察モジュール３が回転し、移動溝２５を通ってプローブ挿入部８外に移動される。それにより照射プローブ２をプローブ挿入部８に挿入するだけで、観察モジュール３を照射プローブ２挿入を妨げない位置に容易に移動することができる。
【００２７】
（第四の実施形態のハード構成）
図１１は、本光治療装置の別の実施の形態を表す斜視図であり、図１２は本実施形態において支持筐体２７を半割した図である。なお、他の実施形態と重複する部分が多いことから、以下では本実施形態に特徴的な部分のみを説明し、その他の構成についての説明は省略する。本実施形態においては、図１１および図１２に示すように、観察モジュール３は、カメラ１１と照明光源１２、回転ハウジング２６、から構成され、プローブ固定部１の支持筐体２７の内部に設置されている。回転ハウジング２６は、さらに、プローブ固定部１と観察モジュール３を接続する回転軸２２と切欠き２８を含む。照射プローブ２には、切欠き２８に嵌合するプローブ突起２９が設けられている。図１３には、照射プローブ２が挿入されていないときの本実施形態の状態を示した。この場合には、カメラ１１および照明光源１２は患者皮膚１７の方を向いており、これにより患者は照射位置及び照射範囲を把握することができ、プローブ固定部１を適切な位置に正確に固定することができる。図１４には、照射プローブ２が挿入されたときの本実施形態の状態を示した。照射プローブ２が挿入されると、プローブ突起２９が切欠き２８に嵌合し、回転ハウジング２６を回転軸２２に沿って回転させる。それにより、カメラ１１と照明光源１２は患者皮膚１７側から移動し、代わりに照射プローブ２に内蔵された治療用光源７が、患者皮膚１７へ照射光を照射できる向きに位置決めされる。図１５には、本実施形態において、照射プローブ２がプローブ挿入部８に挿入されているときの照射光と、照射プローブ２が挿入されておらず、観察モジュール３で患者皮膚１７を観察しているときのカメラ１１の観察野１８の、配置を示した図である。照射野１６と観察野１８は患者皮膚１７に対して同軸上に配置されるように、照射プローブ２と観察モジュール３が固定される。このような構成により、観察野１８の移動を照射プローブ２を挿入するだけで容易に行うことが可能になる。
【００２８】
（第五の実施形態のハード構成）
図１６は、本光治療装置の別の実施の形態を表す斜視図である。なお、他の実施形態と重複する部分が多いことから、以下では本実施形態に特徴的な部分のみを説明し、その他の構成についての説明は省略する。本実施形態においては、観察モジュール３がプローブ固定部１の側面に設置されており、プローブ固定部１内に観察用ミラー３０が設置されている。観察用ミラー３０はミラー移動用ヒンジ３１によりプローブ固定部１と接続されている。照射プローブ２は挿入時に観察用ミラー３０を避けられるような形状になっている。図１７には、照射プローブ２が挿入されていないときの本実施形態の状態を示した。この場合には、観察用ミラー３０がプローブ固定部１内部に張り出し、観察モジュール３内のカメラ１１の観察野１８と照明光源１２の光が、観察ミラーを介して患者皮膚１７へ向けられるように、観察用ミラー３０が配置される。この時、図１８に示すように、観察用ミラー３０により反射された観察野１８と、照射プローブ２内の治療用光源７から照射される照射光の照射野１６が同軸上に配置されるように、観察モジュール３と観察用ミラー３０が配置されている。このような構成により、照射プローブ２を挿入していないときには観察用ミラー３０により観察野１８を観察でき、照射プローブ２を挿入すると観察用ミラー３０を押すだけで観察用ミラー３０が移動し、観察モジュール３内のカメラ１１の観察野１８と治療用光源７から照射光が同軸になるように照射プローブ２を固定することができる。
【００２９】
（第六の実施形態のハード構成）
図１９は、本光治療装置の別の実施の形態を表す斜視図である。なお、他の実施形態と重複する部分が多いことから、以下では本実施形態に特徴的な部分のみを説明し、その他の構成についての説明は省略する。本実施形態においては、観察モジュール３に位置決めガイド３２を備える。なお、図１９は一例として第一の実施形態で説明した光治療装置にガイド３２を設けた例を記載しているが、その他の実施形態で説明した光治療装置にガイド３２を設けてもよい。位置決めガイド３２は、図１９のようにカメラ１１に映るように物理的なマーカーを備えてもよく、図２０のように電子的にモニタ２１に表示するような機能を持たせても良い。この機能により、患者はマーキング２０と現在のプローブ固定部１の位置関係を容易に知ることができ、より正確に位置合わせを行うことができる。
【００３０】
（第七の実施形態のハード構成）
図２１は、本光治療装置の別の実施の形態を表す斜視図である。なお、他の実施形態と重複する部分が多いことから、以下では本実施形態に特徴的な部分のみを説明し、その他の構成についての説明は省略する。本実施形態においては、プローブ固定部１のプローブ挿入部８と患者接触部９の間に、プローブ挿入部８と患者接触部９とを相対移動させ、かつ移動後の位置で固定することが可能である微調整機構３３を備える。微調整機構３３はプローブ挿入部８と患者接触部９の位置関係を微調整するための部材であり、ねじ送り機構やばね式移動機構などが利用できる。なお、本実施例においては患者接触部９に設けられた透過窓１０はプローブ挿入部８の内周の面積よりも大きく設けられていると好適である。この微調整機構３３により、患者が一度、マーキング２０に合わせてプローブ固定部１を移動して患者皮膚１７の上に位置決めし、固定ベルト４によって固定した後に、体動などによってプローブ固定部１がマーキング２０からずれてしまったときにも、固定ベルト４を外すことなく、プローブ挿入部８の位置を患者接触部９に対して移動させることで即座に微調整を行うことができる。なお、図２１は一例として第一の実施形態で説明した光治療装置に微調整機構３３を設けた例を記載しているが、その他の実施形態で説明した光治療装置に微調整機構３３を設けてもよい。
【００３１】
（第八の実施形態のハード構成）
図２２は、本光治療装置の別の実施の形態を表す斜視図である。なお、他の実施形態と重複する部分が多いことから、以下では本実施形態に特徴的な部分のみを説明し、その他の構成についての説明は省略する。本実施形態においては、患者接触部９の下面に可撓性媒体３４を備える。可撓性媒体３４としては、樹脂製のクッション材やエアクッションなどが利用できる。この構成により、図２３に示すように、照射部位が凹凸の多い患者体表面であっても、プローブ固定部１を体表面にフィットさせることができる。それにより、体動等があってもプローブ固定部１を患者背部１９にしっかりと固定でき、適切な照射が行える。なお、図２２は一例として第一の実施形態で説明した光治療装置に可撓性媒体３４を設けた例を記載しているが、その他の実施形態で説明した光治療装置に可撓性媒体３４を設けてもよい。
【００３２】
（第九の実施形態のハード構成）
図２４は、本光治療装置の別の実施の形態を表す斜視図である。なお、他の実施形態と重複する部分が多いことから、以下では本実施形態に特徴的な部分のみを説明し、その他の構成についての説明は省略する。本実施形態においては、固定ベルト４がプローブ固定部１から脱着可能な構成になっている。固定ベルト４は、図２５に示すように、ベルト本体３５、ベルト固定部３６、ベルト脱着部３７、貫通孔３８からなる。ベルト固定部３６は患者が胴体にベルトを固定するための部材であり、面ファスナー、粘着テープ、クリップなどが利用できる。ベルト脱着部３７はベルトとプローブ固定部１を着脱できるようにするための部材であり、例えばベルトの孔を通して、プローブ固定部１にねじ止めやピン止めする構成が利用できる。貫通孔３８は照射プローブ２内の治療用光源７から出た照射光をベルト本体３５が遮らずに、適切に患者背部１９へ照射するための構成である。このような構成により、本光治療装置を頻繁に使用することでベルトが汚れた場合においても、ベルトのみを取り外して洗浄、もしくは交換することができ、ベルトを清潔に保つことができる。
【００３３】
（第十の実施形態のハード構成）
図２６は、本光治療装置の別の実施の形態を表す斜視図である。なお、他の実施形態と重複する部分が多いことから、以下では本実施形態に特徴的な部分のみを説明し、その他の構成についての説明は省略する。本実施形態においては、２つの固定ベルト４がプローブ固定部１のベルト脱着部３７に脱着可能な構成となっている。２本の固定ベルト４は各々、図２７に示すように、前方ベルト固定部３９および側方ベルト固定部４０を含む。ベルト固定部４０は患者が胴体にベルトを固定するための部材であり、面ファスナー、粘着テープ、クリップなどが利用できる。この構成により、まず、患者は側方ベルト固定部４０を固定したまま、マーキング２０に合わせてプローブ固定部１を移動して患者皮膚１７の上に位置決めし、前方ベルト固定部３９によって胴体にベルトを固定した後に、一度、側方ベルト固定部４０を解除して、引っ張ることでさらにベルトを締めることができ、確実に胴体にプローブ固定部１を固定することができる。
【００３４】
上記実施形態においては、本発明に係る光治療装置を患者の仙骨孔の位置に光線を照射することで排尿障害治療に用いる場合を説明したが、本発明に係る光治療装置は他の疾患の治療に対しても適用可能である。たとえば、排便障害治療、機能性胃腸症治療、性機能障害治療、炎症性腸疾患治療、疼痛緩和、腎症治療、リウマチ治療、突発性難聴治療、アトピー性皮膚炎治療、創傷治癒促進、などに適用が可能である。
【００３５】
また、上記実施形態においては、照射プローブから生体に向けて照射光を照射する場合を説明したが、治療部位が患者の背部等の視認できない位置にあり、在宅等で患者自身がエネルギー照射を行う装置であれば、レーザ光以外の照射エネルギーを用いても同様の効果を得ることができる。他の応用可能な照射エネルギーには、たとえば、電気、電磁波（磁気、電波、光、低周波を含む）、音（超音波、音波を含む）、熱を含む。
【符号の説明】
【００３６】
１      プローブ固定部
２      照射プローブ
３      観察モジュール
４      固定ベルト
５      プローブケーブル
６      プローブ筐体
７      治療用光源
８      プローブ挿入部
９      患者接触部
１０    透過窓
１１    カメラ
１２    照射光源
１３    モジュール筐体
１４    観察モジュール電源
１５    ヒンジ
１６    照射野
１７    患者皮膚
１８    観察野
１９    患者背部
２０    マーキング
２１    モニタ
２２    回転軸
２３    レバー部
２４    観察部
２５    移動溝
２６    回転ハウジング
２７    支持筐体
２８    切欠き
２９    プローブ突起
３０    観察用ミラー
３１    ミラー移動用ヒンジ
３２    位置決めガイド
３３    微調整機構
３４    可撓性媒体
３５    ベルト本体
３６    ベルト固定部
３７    ベルト脱着部
３８    貫通孔
３９    前方ベルト固定部
４０    側方ベルト固定部
【図１】
0006782839.tif 000002
【図２】
0006782839.tif 000003
【図３】
0006782839.tif 000004
【図４】
0006782839.tif 000005
【図５】
0006782839.tif 000006
【図６】
0006782839.tif 000007
【図７】
0006782839.tif 000008
【図８】
0006782839.tif 000009
【図９】
0006782839.tif 000010
【図１０】
0006782839.tif 000011
【図１１】
0006782839.tif 000012
【図１２】
0006782839.tif 000013
【図１３】
0006782839.tif 000014
【図１４】
0006782839.tif 000015
【図１５】
0006782839.tif 000016
【図１６】
0006782839.tif 000017
【図１７】
0006782839.tif 000018
【図１８】
0006782839.tif 000019
【図１９】
0006782839.tif 000020
【図２０】
0006782839.tif 000021
【図２１】
0006782839.tif 000022
【図２２】
0006782839.tif 000023
【図２３】
0006782839.tif 000024
【図２４】
0006782839.tif 000025
【図２５】
0006782839.tif 000026
【図２６】
0006782839.tif 000027
【図２７】
0006782839.tif 000028